(57)【要約】【課題】数字入力用のダイヤル式ボタンを搭載するリモコン装置を備えたテレビジョン受信機において、２桁以上の所定桁のチャンネル番号を容易に入力可能とする【解決手段】リモコン装置４の側面に回動自在とされ、所定の回転角度ステップごとに連続して増加又は減少する数値情報が割り当てられたダイヤル４１と、ダイヤル４１の回転角度を検出するロータリエンコーダ４３とを設け、このダイヤル４１が逆転操作されたときの当該逆転直前の数値を順次記憶してチャンネル番号を決定する。これにより、チャンネル選局の際の操作性及び機能性を低下させることなく、リモコン面積の大部分を占めていた数字ボタンを省略してリモコンの小型化を図ることができる。【選択図】図２
2008228174.tif 000002
【特許請求の範囲】
【請求項１】
テレビジョン放送信号を受信する受信手段を備えるテレビジョン受信機本体と、ユーザから入力操作を受けて当該入力操作に対応する制御情報を前記テレビジョン受信機本体に送信するリモコン装置と、を備えてなるテレビジョン受信機において、
前記リモコン装置は、
本体部と、
前記本体部に回動可能に設けられ、所定の回転角度ステップごとに連続して増加又は減少する数値情報が割り当てられたチャンネル選局用ダイヤルと、
前記チャンネル選局用ダイヤルの回転角度及び回転方向を検出する検出手段と、
前記検出手段により検出された所定の回転角度ごとに数値情報を回転方向に応じて増加又は減少して数値情報を特定する数値特定手段と、
前記数値特定手段により特定された数値情報に対応する制御情報を前記所定の回転角度ステップごとに前記テレビジョン受信機本体に送信する制御情報送信手段と、を備え、
前記テレビジョン受信機本体は、
前記制御情報送信手段が送信する制御情報を受信する制御情報受信手段と、
前記制御情報受信手段が受信した制御情報に基づく数値情報に対応するチャンネル番号を、内蔵若しくは外部接続された表示部にＯＳＤ表示させるＯＳＤ表示制御手段と、
前記制御情報に含まれる数値情報の変化により前記チャンネル選局用ダイヤルの逆転操作の有無を判断する第１判断手段と、
前記第１判断手段により前記チャンネル選局用ダイヤルが逆転した旨の判断がされたとき、当該逆転時の前記制御情報に含まれる数値情報の直前に前記制御情報受信手段により受信された制御情報に含まれる数値情報を、下位の桁又は上位の桁から順に割り当てて記憶する記憶手段と、
前記記憶手段に２以上の所定桁の数値情報が記憶されたか否かを判断する第２判断手段と、
前記第２判断手段により前記記憶手段に前記２以上の所定桁の数値情報が記憶された旨の判断がされたとき、当該２以上の所定桁の数値情報に予め対応付けられたチャンネルのテレビジョン放送信号を前記受信手段に受信させる制御手段と、
予め設定された所定時間内に前記第１判断手段により前記チャンネル選局用ダイヤルが逆転した旨の判断がされない場合に、前記記憶手段に記憶された数値情報を全て削除する第１削除手段と、を備え、
前記リモコン装置は、
クリアボタンと、前記クリアボタンの押下によるクリア情報を前記テレビジョン受信機本体に送信するクリア情報送信手段と、を備え、
前記テレビジョン受信機本体は、
前記クリア情報送信手段が送信したクリア情報を受信するクリア情報受信手段と、
前記クリア情報受信手段がクリア情報を受信した場合に、前記記憶手段から最新の数値情報を削除する第２削除手段と、
を備え、
前記クリアボタンは、前記チャンネル選局用ダイヤルと兼用されることを特徴とするテレビジョン受信機。
【請求項２】
テレビジョン放送信号を受信する受信手段を備えるテレビジョン受信機本体と、ユーザから入力操作を受けて当該入力操作に対応する制御情報を前記テレビジョン受信機本体に送信するリモコン装置と、を備えてなるテレビジョン受信機において、
前記リモコン装置は、
本体部と、
前記本体部に回動可能に設けられ、所定の回転角度ステップごとに連続して増加又は減少する数値情報が割り当てられたチャンネル選局用ダイヤルと、
前記チャンネル選局用ダイヤルの回転角度及び回転方向を検出する検出手段と、
前記検出手段により検出された所定の回転角度ごとに数値情報を回転方向に応じて増加又は減少して数値情報を特定する数値特定手段と、
前記数値特定手段により特定された数値情報に対応する制御情報を前記テレビジョン受信機本体に送信する制御情報送信手段と、を備え、
前記テレビジョン受信機本体は、
前記制御情報送信手段が送信する制御情報を受信する制御情報受信手段と、
前記制御情報受信手段が受信した制御情報に基づく数値情報に対応するチャンネル番号を内蔵又は外部接続された表示部にＯＳＤ表示させるＯＳＤ表示制御手段と、
前記チャンネル選局用ダイヤルの逆転操作の有無を判断する第１判断手段と、
前記第１判断手段により前記チャンネル選局用ダイヤルが逆転した旨の判断がされたとき、当該逆転時の前記制御情報に含まれる数値情報の直前に前記制御情報受信手段により受信された制御情報に含まれる数値情報を、下位の桁又は上位の桁から順に割り当てて記憶する記憶手段と、
前記記憶手段に２以上の所定桁の数値情報が記憶されたか否かを判断する第２判断手段と、
前記第２判断手段により前記記憶手段に前記２以上の所定桁の数値情報が記憶された旨の判断がされたとき、当該２以上の所定桁の数値情報に対応するチャンネルのテレビジョン放送信号を前記受信手段に受信させる制御手段と、
を備えることを特徴とするテレビジョン受信機。
【請求項３】
前記第１判断手段は、前記制御情報に含まれる数値情報の変化により前記チャンネル選局用ダイヤルの逆転操作の有無を判断することを特徴とする請求項２記載のテレビジョン受信機。
【請求項４】
予め設定された所定時間内に前記第１判断手段により前記チャンネル選局用ダイヤルが逆転した旨の判断がされない場合に、前記記憶手段に記憶された数値情報を全て削除する削除手段を備えることを特徴とする請求項２又は請求項３記載のテレビジョン受信機。
【請求項５】
前記リモコン装置は、
クリアボタンと、前記クリアボタンの押下によるクリア情報を前記テレビジョン受信機本体に送信するクリア情報送信手段と、を備え、
前記テレビジョン受信機本体は、
前記クリア情報送信手段により送信されたクリア情報を受信するクリア情報受信手段と、
前記クリア情報受信手段によりクリア情報が受信された場合に、前記記憶手段から最新の数値情報を削除する第２削除手段と、
を備えることを特徴とする請求項２〜４の何れか一項記載のテレビジョン受信機。
【請求項６】
前記制御情報送信手段は、前記所定の回転角度ごとに割り当てられた数値情報に対応する制御情報を当該所定の回転角度ステップごとに前記テレビジョン受信機本体に送信することを特徴とする請求項２〜５の何れか一項記載のテレビジョン受信機。
【発明の詳細な説明】
【技術分野】
【０００１】
本発明は、テレビジョン受信機に関する。
【背景技術】
【０００２】
従来、リモートコントローラ（以下、「リモコン」という）に設けられた数字入力用の選択ボタンを押下することで送信されるチャンネル選択用の選択信号を受信した際に、当該選択されたチャンネルの画像を表示部に表示すると共に、そのチャンネル番号をＯＳＤ表示により表示するテレビジョン受信機が知られている。リモコンは、押下可能なボタン部と、当該ボタン部が複数個配設された本体部とからなり、ユーザによるボタン部の押下に伴って、当該押下されたボタン部の機能に対応付けられた制御信号をテレビジョン受信機に送信することができるようになっている。
【０００３】
ところで、近年、既存のアナログ放送に加えて地上波デジタル放送が開始されており、従来のアナログ放送におけるチャンネル数よりも多くのチャンネルが受信可能になっている。このため、リモコン操作でチャンネルを選択する際に、２桁のチャンネル番号のみならず、３桁のチャンネル番号を選択入力する必要が生じている。また、デジタル化による機能の増加に伴って、リモコンに配置されるボタン数が増加し、かかるボタン数の増加に伴うボタンサイズの縮小によって操作性が低下したり、或いは、リモコン自体が大型化したりするという問題が生じている。
かかる問題に鑑みて、従来のリモコンにおいては、一つのボタンに複数の機能を設けるなどしてボタン数を減らすことにより、リモコンの小型化を図る対応が採られていた。
また、数字ボタンに代えて、ダイヤル式ボタンを操作することで３桁の数字入力を可能とする入力装置も知られている（例えば、特許文献１）。
【特許文献１】特開２００４−４６６４５号公報
【発明の開示】
【発明が解決しようとする課題】
【０００４】
しかしながら、上記特許文献１に開示される従来のダイヤル式ボタンをテレビ用のリモコンに搭載して３桁のチャンネル番号の数字入力を行う場合、各桁の番号を逐次増減させて所望するチャンネル番号に設定する必要があるため、操作が煩雑で入力に手間がかかるという問題がある。すなわち、数字入力する桁を選択するためにダイヤルの回転角度を設定する回動操作と、その桁の数字を増減させるためにダイヤルの回動角度を維持したまま半径方向に向けて押下するという、軌道の異なる二つの操作を組み合わせる必要があるため操作が複雑となり、入力に時間がかかるという問題があった。
【０００５】
本発明の課題は、数字入力用のダイヤル式ボタンを搭載するリモコン装置を備えたテレビジョン受信機において、２桁以上の所定桁のチャンネル番号を容易に入力可能とすることである。
【課題を解決するための手段】
【０００６】
上記課題を解決するため、請求項１記載の発明は、
テレビジョン放送信号を受信する受信手段を備えるテレビジョン受信機本体と、ユーザから入力操作を受けて当該入力操作に対応する制御情報を前記テレビジョン受信機本体に送信するリモコン装置と、を備えてなるテレビジョン受信機において、
前記リモコン装置は、
本体部と、
前記本体部に回動可能に設けられ、所定の回転角度ステップごとに連続して増加又は減少する数値情報が割り当てられたチャンネル選局用ダイヤルと、
前記チャンネル選局用ダイヤルの回転角度及び回転方向を検出する検出手段と、
前記検出手段により検出された所定の回転角度ごとに数値情報を回転方向に応じて増加又は減少して数値情報を特定する数値特定手段と、
前記数値特定手段により特定された数値情報に対応する制御情報を前記所定の回転角度ステップごとに前記テレビジョン受信機本体に送信する制御情報送信手段と、を備え、
前記テレビジョン受信機本体は、
前記制御情報送信手段が送信する制御情報を受信する制御情報受信手段と、
前記制御情報受信手段が受信した制御情報に基づく数値情報に対応するチャンネル番号を、内蔵若しくは外部接続された表示部にＯＳＤ表示させるＯＳＤ表示制御手段と、
前記制御情報に含まれる数値情報の変化により前記チャンネル選局用ダイヤルの逆転操作の有無を判断する第１判断手段と、
前記第１判断手段により前記チャンネル選局用ダイヤルが逆転した旨の判断がされたとき、当該逆転時の前記制御情報に含まれる数値情報の直前に前記制御情報受信手段により受信された制御情報に含まれる数値情報を、下位の桁又は上位の桁から順に割り当てて記憶する記憶手段と、
前記記憶手段に２以上の所定桁の数値情報が記憶されたか否かを判断する第２判断手段と、
前記第２判断手段により前記記憶手段に前記２以上の所定桁の数値情報が記憶された旨の判断がされたとき、当該２以上の所定桁の数値情報に予め対応付けられたチャンネルのテレビジョン放送信号を前記受信手段に受信させる制御手段と、
予め設定された所定時間内に前記第１判断手段により前記チャンネル選局用ダイヤルが逆転した旨の判断がされない場合に、前記記憶手段に記憶された数値情報を全て削除する第１削除手段と、を備え、
前記リモコン装置は、
クリアボタンと、前記クリアボタンの押下によるクリア情報を前記テレビジョン受信機本体に送信するクリア情報送信手段と、を備え、
前記テレビジョン受信機本体は、
前記クリア情報送信手段が送信したクリア情報を受信するクリア情報受信手段と、
前記クリア情報受信手段がクリア情報を受信した場合に、前記記憶手段から最新の数値情報を削除する第２削除手段と、
を備え、
前記クリアボタンは、前記チャンネル選局用ダイヤルと兼用されることを特徴とする。
【０００７】
請求項２記載の発明は、
テレビジョン放送信号を受信する受信手段を備えるテレビジョン受信機本体と、ユーザから入力操作を受けて当該入力操作に対応する制御情報を前記テレビジョン受信機本体に送信するリモコン装置と、を備えてなるテレビジョン受信機において、
前記リモコン装置は、
本体部と、
前記本体部に回動可能に設けられ、所定の回転角度ステップごとに連続して増加又は減少する数値情報が割り当てられたチャンネル選局用ダイヤルと、
前記チャンネル選局用ダイヤルの回転角度及び回転方向を検出する検出手段と、
前記検出手段により検出された所定の回転角度ごとに数値情報を回転方向に応じて増加又は減少して数値情報を特定する数値特定手段と、
前記数値特定手段により特定された数値情報に対応する制御情報を前記テレビジョン受信機本体に送信する制御情報送信手段と、を備え、
前記テレビジョン受信機本体は、
前記制御情報送信手段が送信する制御情報を受信する制御情報受信手段と、
前記制御情報受信手段が受信した制御情報に基づく数値情報に対応するチャンネル番号を内蔵又は外部接続された表示部にＯＳＤ表示させるＯＳＤ表示制御手段と、
前記チャンネル選局用ダイヤルの逆転操作の有無を判断する第１判断手段と、
前記第１判断手段により前記チャンネル選局用ダイヤルが逆転した旨の判断がされたとき、当該逆転時の前記制御情報に含まれる数値情報の直前に前記制御情報受信手段により受信された制御情報に含まれる数値情報を、下位の桁又は上位の桁から順に割り当てて記憶する記憶手段と、
前記記憶手段に２以上の所定桁の数値情報が記憶されたか否かを判断する第２判断手段と、
前記第２判断手段により前記記憶手段に前記２以上の所定桁の数値情報が記憶された旨の判断がされたとき、当該２以上の所定桁の数値情報に対応するチャンネルのテレビジョン放送信号を前記受信手段に受信させる制御手段と、を備えることを特徴とする。
【０００８】
請求項３記載の発明は、請求項２記載の発明において、
前記第１判断手段は、前記制御情報に含まれる数値情報の変化により前記チャンネル選局用ダイヤルの逆転操作の有無を判断することを特徴とする。
【０００９】
請求項４記載の発明は、請求項２又は請求項３記載の発明において、
予め設定された所定時間内に前記第１判断手段により前記チャンネル選局用ダイヤルが逆転した旨の判断がされない場合に、前記記憶手段に記憶された数値情報を全て削除する削除手段を備えることを特徴とする。
【００１０】
請求項５記載の発明は、請求項２〜４の何れか一項記載の発明において、
前記リモコン装置は、
クリアボタンと、前記クリアボタンの押下によるクリア情報を前記テレビジョン受信機本体に送信するクリア情報送信手段と、を備え、
前記テレビジョン受信機本体は、
前記クリア情報送信手段により送信されたクリア情報を受信するクリア情報受信手段と、
前記クリア情報受信手段によりクリア情報が受信された場合に、前記記憶手段から最新の数値情報を削除する第２削除手段と、を備えることを特徴とする。
【００１１】
請求項６記載の発明は、請求項２〜５の何れか一項記載の発明において、
前記制御情報送信手段は、前記所定の回転角度ごとに割り当てられた数値情報に対応する制御情報を当該所定の回転角度ステップごとに前記テレビジョン受信機本体に送信することを特徴とする。
【発明の効果】
【００１２】
請求項１記載の発明によれば、検出手段により、リモコン装置の本体部に設けられたチャンネル選局用ダイヤルの回転角度及び回転方向を検出することができ、数値特定手段により、検出手段によって検出された所定の回転角度ごとに回転方向に応じて増加又は減少して数値情報を特定することができる。また、制御情報送信手段により、この数値情報に対応する制御情報をテレビジョン受信機本体の制御情報受信手段に送信することができる。そして、ＯＳＤ表示制御手段により、制御情報に基づく数値情報に対応するチャンネル番号を内蔵又は外部接続された表示部にＯＳＤ表示させることができる。
さらに、第１判断手段により、チャンネル選局用ダイヤルの逆転操作の有無を判断することができると共に、逆転時の制御情報に含まれる数値情報の直前の数値情報を、下位の桁又は上位の桁から順に記憶手段に記憶することができる。また、制御手段により、第２判断手段によって記憶手段に２以上の所定桁の数値情報が記憶された旨の判断がされたとき、該２以上の所定桁の数値情報に対応するチャンネルのテレビジョン放送信号をテレビジョン受信機本体に受信させることができる。
つまり、チャンネル選局用ダイヤルを繰り返し逆転操作して、逆転時における数値情報を下位の桁又は上位の桁から順に割り当てて記憶手段に記憶していくことで、チャンネル番号を容易に特定することができる。従って、２以上の所定桁のチャンネル番号を容易に入力することができる。また、チャンネル選局に際して複数の数字ボタンを設ける必要がなく、リモコン装置を小型化することができる。
また、第１判断手段は、制御情報に含まれる数値情報の変化によりチャンネル選局用ダイヤルの逆転操作の有無を判断するため、チャンネル選局用ダイヤルの逆転操作の有無を判断するために別に新たな装置を取り付ける必要がなく、リモコン装置やテレビジョン受信機本体の大型化を防止してリモコン装置の小型化を図ることができる。
また、第１削除手段を備えることにより、予め設定された所定時間内に第１判断手段によりチャンネル選局用ダイヤルが逆転した旨の判断がされない場合には、記憶手段に記憶された数値情報を全て削除することができる。これにより、例えば、チャンネル選局用ダイヤルの操作を中止した場合等に、別にボタン操作等をすることなく、自動的にチャンネル番号を設定する処理を終了することができるため、操作性の向上が図られる。
また、クリアボタンを押下することで、クリア情報送信手段からクリア情報受信手段にクリア情報が送信される。そして、クリア情報受信手段においてクリア情報が受信されると、第２削除手段により、記憶手段に記憶されている最新の数値情報を削除することができる。従って、リモコン装置によるチャンネル選局のための数値入力の操作性を向上させることができる。
また、制御情報送信手段により、所定の回転角度ごとに割り当てられた数値情報に対応する制御情報が、当該所定の回転角度ステップごとにテレビジョン受信機本体に送信される。これにより、テレビジョン受信機本体において、チャンネル選局用ダイヤルの逆転操作の有無を随時判断することができる。
【００１３】
請求項２記載の発明によれば、検出手段により、リモコン装置の本体部に設けられたチャンネル選局用ダイヤルの回転角度及び回転方向を検出することができ、数値特定手段により、検出手段によって検出された所定の回転角度ごとに回転方向に応じて増加又は減少して数値情報を特定することができる。また、制御情報送信手段により、この数値情報に対応する制御情報をテレビジョン受信機本体の制御情報受信手段に送信することができる。そして、ＯＳＤ表示制御手段により、制御情報に基づく数値情報に対応するチャンネル番号を内蔵又は外部接続された表示部にＯＳＤ表示させることができる。
【００１４】
さらに、第１判断手段により、チャンネル選局用ダイヤルの逆転操作の有無を判断することができると共に、逆転時の制御情報に含まれる数値情報の直前の数値情報を、下位の桁又は上位の桁から順に記憶手段に記憶することができる。また、制御手段により、第２判断手段によって記憶手段に２以上の所定桁の数値情報が記憶された旨の判断がされたとき、該２以上の所定桁の数値情報に対応するチャンネルのテレビジョン放送信号をテレビジョン受信機本体の受信手段に受信させることができる。
【００１５】
つまり、チャンネル選局用ダイヤルを繰り返し逆転操作し、逆転時における数値情報を下位の桁又は上位の桁から順に割り当てて記憶手段に記憶していくことでチャンネル番号を特定することができる。従って、２以上の所定桁のチャンネル番号を容易に入力することができる。また、チャンネル選局に際して複数の数字ボタンを設ける必要がなく、リモコン装置を小型化することができる。
【００１６】
請求項３記載の発明によれば、請求項２記載の発明と同様の効果が得られるのは勿論のこと、特に、第１判断手段は、制御情報に含まれる数値情報の変化により前記チャンネル選局用ダイヤルの逆転操作の有無を判断する。従って、チャンネル選局用ダイヤルの逆転操作の有無を判断するために別に新たな装置を取り付ける必要がなく、リモコン装置やテレビジョン受信機本体の大型化を防止してリモコン装置の小型化を図ることができる。
【００１７】
請求項４記載の発明によれば、請求項２又は請求項３記載の発明と同様の効果が得られるのは勿論のこと、特に、削除手段を備えることにより、予め設定された所定時間内に第１判断手段によりチャンネル選局用ダイヤルが逆転した旨の判断がされない場合には、記憶手段に記憶された数値情報を全て削除することができる。これにより、例えば、チャンネル選局用ダイヤルの操作を中止した場合等に、別にボタン操作等をすることなく、自動的にチャンネル番号を設定する処理を終了することができるため、操作性の向上が図られる。
【００１８】
請求項５記載の発明によれば、請求項２〜４の何れか一項記載の発明と同様の効果が得られるのは勿論のこと、特に、クリアボタンを押下することで、クリア情報送信手段からクリア情報受信手段にクリア情報が送信される。そして、クリア情報受信手段においてクリア情報が受信されると、第２削除手段により、記憶手段に記憶されている最新の数値情報を削除することができる。従って、リモコン装置によるチャンネル選局のための数値入力の操作性を向上させることができる。
【００１９】
請求項６記載の発明によれば、請求項２〜５の何れか一項記載の発明と同様の効果が得られるのは勿論のこと、特に、制御情報送信手段により、所定の回転角度ごとに割り当てられた数値情報に対応する制御情報が、当該所定の回転角度ステップごとにテレビジョン受信機本体に送信される。これにより、テレビジョン受信機本体において、チャンネル選局用ダイヤルの逆転操作の有無を随時判断することができる。
【発明を実施するための最良の形態】
【００２０】
以下、図を参照して本発明に係るテレビジョン受信機を実施するための最良の形態を詳細に説明する。なお、発明の範囲は、以下の説明及び図示例に限定されない。
【００２１】
＜テレビジョン受信機の全体構成＞
テレビジョン受信機１（以下、「ＴＶ受信機１」とする）は、図１に示すように、テレビジョン放送信号を受信して表示部（映像表示部２５）に画像を表示するテレビジョン受信機本体２（以下、「ＴＶ受信機本体２」とする）と、ユーザから入力操作を受けて当該入力操作に対応する制御情報をＴＶ受信機本体２に送信して遠隔制御するためのリモコン装置４とを備えている。
【００２２】
（リモコン装置の構成）
まず、図１及び図２に基づき、リモコン装置４の構成について説明する。
図１及び図２に示すように、リモコン装置４は、例えば、本体部４ａと、チャンネル選局用ダイヤル４１（以下、「ダイヤル４１」とする）と、ロータリエンコーダ４３と、リモコン信号送信部４６と、制御部４９と、を備えており、各部は、バス４０により接続されている。
【００２３】
本体部４ａの上面には、ＴＶ受信機２の電源をＯＮ／ＯＦＦを切替える電源キー４１ａが設けられている。また、本体部４ａの側面には、チャンネル番号選局用のダイヤル４１が設けられている。
【００２４】
ダイヤル４１は、本体部４ａの側面に対して軸支されると共に、当該軸周りに回動可能に設けられている。このダイヤル４１は、軸周りの回動に際して、その停止位置を所定の回動角度ステップ（例えば、１５°刻み或いは３０°刻み等）ごとに多段階に保持できるようになっている。
さらに、本実施形態におけるダイヤル４１は、軸方向に本体部側に向けて押下することにより後述するクリアボタンとして機能する。
【００２５】
ロータリエンコーダ４３は、ダイヤル４１の回転角度及び回転方向を検出する本発明の検出手段として機能する。このロータリエンコーダ４３は、ユーザのダイヤル操作によるダイヤル４１の回転角度に対応する検出信号を、制御部４９に出力するようになっている。
【００２６】
リモコン信号送信部４６は、制御部４９から入力される制御信号に従って、例えば、ＴＶ受信機本体２を遠隔制御するためのリモコン信号を、ＴＶ受信機本体２に送信する。
ここで、本実施形態のリモコン信号には、例えば、ロータリエンコーダ４３からの検出結果に基づき、後述する数値特定プログラム４９３ａを実行するＣＰＵ４９１（数値特定手段）によって特定されるチャンネル番号に関する数値情報や、後述するクリア情報送信プログラム４９３ｂを実行するＣＰＵ４９１（クリア情報送信手段）によって送信されるクリア情報等に対応する制御情報が含まれている。
【００２７】
制御部４９は、例えば、図２に示すように、ＣＰＵ（Central Processing Unit）４９１と、ＲＡＭ（Random Access Memory）４９２と、ＲＯＭ（Read Only Memory）４９３と、ＥＰＲＯＭ（Erasable and Programmable Read Only Memory）４９４と、を備えている。
【００２８】
ＣＰＵ４９１は、ＲＯＭ４９３に記憶されたリモコン装置４用の各種処理プログラムに従って各種の制御動作を実行する。
【００２９】
ＲＡＭ４９２は、ＣＰＵ４９１によって実行される処理プログラムなどを展開するためのプログラム展開領域や、入力データや上記処理プログラムが実行される際に生じる処理結果などを格納するデータ格納領域を備えている。
【００３０】
ＥＰＲＯＭ４９４は、後述する各種プログラムに基づきＣＰＵ４９１が実行する処理に基づき得られたデータなどを記憶する不揮発性メモリからなるデータエリアである。
【００３１】
ＲＯＭ４９３は、リモコン装置４で実行可能なシステムプログラム、当該システムプログラムで実行可能な各種処理プログラム、これら各種処理プログラムを実行する際に使用されるデータ、などを記憶する。なお、プログラムは、コンピュータが読み取り可能なプログラムコードの形でＲＯＭ４９３に記憶されている。
【００３２】
具体的に、ＲＯＭ４９３には、例えば、数値特定プログラム４９３ａと、クリア情報送信プログラム４９３ｂと、制御信号送信プログラム４９３ｃと、が記憶されている。
【００３３】
数値特定プログラム４９３ａは、ロータリエンコーダ４３によって検出された検出結果に基づき、所定の回転角度ごとに数値情報を回転方向に応じて増加又は減少して数値情報を特定する機能をＣＰＵ４９１に実現させる。
ここで、本実施形態では、具体的には、例えば、ダイヤル４１が３０°回転するごとに、例えば、１〜１２の数値が、回転方向に応じて順に増加又は減少するように割り当てられている。すなわち、０°以上３０°未満には「１」、３０°以上６０°未満には「２」…、３３０°以上３６０°未満には「１２」という具合に、各回転角度ステップごとに１〜１２の数値が順に対応付けられている。よって、ＣＰＵ４９１は、１〜１２の数値情報をロータリエンコーダの回転角度により特定することができる。
すなわち、この数値特定プログラム４９３ａを実行するＣＰＵ４９１により、本発明における数値特定手段が構成されている。
【００３４】
クリア情報送信プログラム４９３ｂは、ユーザによりダイヤル４１が軸方向の本体部側に向けて押下されクリアボタンとして操作された際に、ＴＶ受信機本体２の記憶部（ＥＰＲＯＭ２９４）に記憶されている最新の数値情報を削除するためのリモコン信号（制御情報）を、リモコン信号送信部４６から送信させる機能をＣＰＵ４９１に実現させる。つまり、ダイヤル４１と、クリア情報送信プログラム４９３ｂを実行するＣＰＵ４９１とにより、本発明におけるクリア手段が構成されている。
【００３５】
制御信号送信プログラム４９３ｃは、数値特定プログラム４９３ａを実行するＣＰＵ４９１により特定された数値情報を、ＲＯＭ４９３内のデータファイルから取得してリモコン信号（制御情報）としてリモコン信号送信部４６に入力し、所定の周波数で当該取得した数値情報をＴＶ受信機本体２に送信させる機能をＣＰＵ２９１に実現させる。つまり、リモコン信号送信部４６と、制御情報送信プログラム４９３ｃを実行するＣＰＵ４９１とにより、本発明の制御情報送信手段が構成されている。
【００３６】
（ＴＶ受信機本体の構成）
次に、図１及び図３に基づき、ＴＶ受信機本体２の構成について説明する。
図１及び図３に示すように、ＴＶ受信機本体２は、例えば、アンテナ２１ａを有するチューナ２１と、復調器２２と、デコーダ２３と、リモコン信号受信部２７と、ＯＳＤ制御部２６と、制御部２９とを備えており、各部は、バス２０によって接続されている。また、ＴＶ受信機本体２には、デコーダ２３と接続された音声出力部２４や、デコーダ２３及びＯＳＤ制御部２６と接続された映像表示部２５などが設けられている。
【００３７】
チューナ２１は、テレビジョン放送信号（以下、「ＴＶ放送信号」という）を受信するものであり、受信手段として機能する。具体的には、チューナ２１は、制御部２９から入力される制御信号に従って、アンテナ２１ａで受信したＴＶ放送信号（例えば、デジタル方式のＴＶ放送信号）の中から、ユーザ所望の放送番組のチャンネルに対応する周波数帯域に存在するＴＶ放送信号を受信する。そして、チューナ２１は、当該ＴＶ放送信号を変調して中間周波信号を復調器２２に出力する。
【００３８】
復調器２２は、制御部２９から入力される制御信号に従って、チューナ２１から出力された中間周波信号に対してデジタル復調や誤り訂正などの処理を施して、ストリーム（例えば、トランスポートストリーム）をデコーダ２３に出力する。
【００３９】
デコーダ２３は、制御部２９から入力される制御信号に従って、復調器２２から出力されたトランスポートストリームを解読し、当該トランスポートストリームを構成する各トランスポートパケットを判別して、ユーザ所望の放送番組に関連するトランスポートパケットにかかるデータを圧縮音声データと圧縮映像データとに分離する。そして、デコーダ２３は、当該圧縮音声データをデコードして音声データを音声出力部２４に出力するとともに、当該圧縮映像データをデコードして映像データを映像表示部２５に出力する。
【００４０】
ＯＳＤ制御部２６は、制御部２９から入力される制御信号に従って、ＴＶ受信機１用の種々の設定データ（例えば、ＢＳ放送、ＣＳ放送及び地上デジタル放送等の放送種別に関するデータや、チャンネル番号に関する数値データなど）を映像データに合成して映像表示部２５に出力し、これらの設定状態を、映像表示部２５に表示される映像上に重ねてＯＳＤ表示させる。
つまり、このＯＳＤ制御部２６と、後述するＯＳＤ表示制御プログラム２９３ｅを実行するＣＰＵ２９１とにより、本発明におけるＯＳＤ表示制御手段が構成されている。
【００４１】
音声出力部２４は、例えば、スピーカ機器等であり、デコーダ２３から出力された音声データに基づく音声を出力する。
【００４２】
映像表示部２５は、例えば、液晶表示機器等であり、デコーダ２３から出力された映像データに基づく映像を表示する。
【００４３】
リモコン信号受信部２７は、リモコン装置４から送信されたリモコン信号を受信して、制御部２９に出力する本発明の制御情報受信手段として機能する。なお、上述したように、例えば、リモコン信号には、ロータリエンコーダ４３からの検出結果に基づき、数値特定プログラム４９３ａを実行するＣＰＵ４９１（数値特定手段）によって特定されたチャンネル番号に関する数値情報や、クリア情報送信プログラム４９３ｂを実行するＣＰＵ４９１（クリア情報送信手段）によって送信されるクリア情報等に対応する制御情報が含まれている。すなわち、このリモコン信号受信部２７は、本発明におけるクリア情報受信手段として機能する。
【００４４】
制御部２９は、例えば、図３に示すように、ＣＰＵ２９１と、ＲＡＭ２９２と、ＲＯＭ２９３と、ＥＰＲＯＭ２９４と、計時回路２９５と、を備えている。
【００４５】
ＣＰＵ２９１は、ＲＯＭ２９３に記憶されたＴＶ受信機本体２用の各種処理プログラムに従って各種の制御動作を実行する。
【００４６】
ＲＡＭ２９２は、ＣＰＵ２９１によって実行される処理プログラムなどを展開するためのプログラム展開領域や、入力データや上記処理プログラムが実行される際に生じる処理結果などを格納するデータ格納領域などを備えている。
【００４７】
ＥＰＲＯＭ２９４は、後述する各種プログラムに基づきＣＰＵ２９１が実行する処理に基づき得られたデータを記憶する不揮発性メモリからなるデータエリアである。
【００４８】
ＲＯＭ２９３は、ＴＶ受信機本体２で実行可能なシステムプログラム、当該システムプログラムで実行可能な各種処理プログラム、これら各種処理プログラムを実行する際に使用されるデータ、などを記憶する。なお、プログラムは、コンピュータが読み取り可能なプログラムコードの形でＲＯＭ２９３に記憶されている。
【００４９】
具体的に、ＲＯＭ２９３には、例えば、制御情報受信プログラム２９３ａと、リモコン信号解析プログラム２９３ｂと、第１判断プログラム２９３ｃと、第２判断プログラム２９３ｄと、ＯＳＤ表示制御プログラム２９３ｅと、第２削除プログラム２９３ｆと、第１削除プログラム２９３ｇと、が記憶されている。
【００５０】
制御情報受信プログラム２９３ａは、リモコン装置４のリモコン信号送信部４６から送信されたリモコン信号をリモコン信号受信部２７に受信させ、当該リモコン信号を制御部２９に入力する機能をＣＰＵ２９１に実現させる。つまり、リモコン信号受信部２７と、制御情報送信プログラム２９３ａを実行するＣＰＵ２９１とにより、本発明における制御情報受信手段が構成されている。
【００５１】
リモコン信号解析プログラム２９３ｂは、例えば、リモコン信号受信部２７で受信したリモコン信号に含まれる各種制御情報を解析する機能をＣＰＵ２９１に実現させる。つまり、リモコン信号受信部２７と、リモコン信号解析プログラム２９３ｂを実行するＣＰＵ２９１とにより、リモコン信号解析手段が構成されている。
【００５２】
第１判断プログラム２９３ｃは、リモコン装置４からリモコン信号として送信される制御情報に含まれる数値情報の変化により、ダイヤル４１の逆転操作の有無を判断する機能をＣＰＵ２９１に実現させる。
具体的には、ユーザによるダイヤル４１の回動操作により、例えば、ダイヤル４１が当該ダイヤル４１の回転角度ステップに対応する数値情報が増加する方向から減少する方向に逆転操作されるとした場合、リモコン信号受信部２７で受信する制御情報（リモコン信号）中に含まれる数値情報は、例えば、…３、４、５、４…と変化することとなる。この場合、ＣＰＵ２９１は、第１判断プログラム２９３ｃを実行することで、「５」に続いて「４」が検出された時点でダイヤル４１が逆転操作されたと判断し、当該逆転判断時における数値情報である「４」の直前の数値情報である「５」をＥＰＲＯＭ２９４に記憶させる。そして、ダイヤル４１が、当該ダイヤル４１の回転角度ステップに対応する数値情報が減少から増加に転じる方向に逆転操作された場合も、同様の判断によってチャンネル番号設定用の数値が特定される。
ＣＰＵ２９１は、かかる第１判断プログラム２９３ｃを実行することにより、本発明における第１判断手段として機能する。
【００５３】
第２判断プログラム２９３ｄは、ＥＰＲＯＭ２９４内に３桁（２以上の所定桁）の数値情報が記憶されたか否かを判断する機能を、ＣＰＵ２９１に実現させる。
具体的には、ＣＰＵ２９１が、ＲＯＭ２９３内に格納されている第２判断プログラム２９３ｄに従って、ＥＰＲＯＭ２９４内に記憶されている数字を監視する。そして、ユーザによるダイヤル４１の逆転操作に伴い、上記第１判断プログラム２９３ｃを実行するＣＰＵ２９１によってチャンネル番号選択用の数値情報が１桁目、２桁目、とＥＰＲＯＭ２９４内に記憶されていくと、ＣＰＵ２９１は、３桁目の数値情報が記憶された時点でチャンネル番号を特定する３桁の数値が記憶されたと判断する。
ＣＰＵ２９１は、かかる第２判断プログラム２９３ｄを実行することにより、本発明における第２判断手段として機能する。
【００５４】
ＯＳＤ表示制御プログラム２９３ｅは、リモコン信号受信部２７が受信した制御情報に基づく数値情報に対応するチャンネル番号を、映像表示部２５にＯＳＤ表示させる機能をＣＰＵ２９1に実現させる。
具体的に、ＣＰＵ２９１は、ＯＳＤ表示制御プログラム２９３ｅを実行することにより、例えば、リモコン信号受信部２７が受信したリモコン信号中の制御情報に含まれる放送種別に関するデータや、チャンネル番号を決定する数値情報に関するデータ等を、デコーダ２３から出力される映像データに合成して映像表示部２５に出力し、これらの設定状態を、映像表示部２５に表示される映像上に重ねてＯＳＤ表示させる。
ＣＰＵ２９１は、かかるＯＳＤ表示制御プログラム２９３ｅを実行することにより、本発明におけるＯＳＤ表示制御手段として機能する。
【００５５】
第２削除プログラム２９３ｆは、リモコン信号受信部２７がクリア情報受信手段としてクリア情報を受信した場合に、ＥＰＲＯＭ２９４から最新の数値情報を削除する機能をＣＰＵ２９１に実現させる。
具体的に、ＣＰＵ２９１は、削除プログラム２９３ｆを実行することにより、例えば、リモコン信号受信部２７が受信したリモコン信号中にクリア情報が含まれていることを検出した際に、ＥＰＲＯＭ２９４内に記憶されている数値情報を参照して、そのうち最新に記憶された一の数値を削除する。より具体的には、例えば、ＥＰＲＯＭ２９４内に１桁の数値（例えば、「１」）のみが記憶されている場合、ＣＰＵ２９１は当該１桁の数値（例えば、「１」）を削除し、例えば、「３」、「４」と２桁の数値がこの順に記憶されていた場合、ＣＰＵ２９１は２番目に記憶された数値情報（この場合は「４」）のみを削除する。
ＣＰＵ２９１は、かかる削除プログラム２９３ｆを実行することにより、本発明における第２削除手段（削除手段）として機能する。
【００５６】
第１削除プログラム２９３ｇは、所定時間内にダイヤル４１の逆転が検出されない場合に、ＥＰＲＯＭ２９４に記憶された数値情報を全て削除する機能をＣＰＵ２９１に実現させる。
具体的に、ＣＰＵ２９１は、第１削除プログラム２９３ｇを実行することにより、例えば、第１判断プログラム２９３ｃを実行するＣＰＵ２９１によってＥＰＲＯＭ２９４内に記憶される数値情報と、計時回路２９５内のタイムアウトカウンタとを監視することで、所定時間内にダイヤル４１が逆転操作されたか否かを判断する。そして、ＣＰＵ２９１は、上記所定時間内にダイヤル４１が逆転操作された旨の判断がされない場合、ＥＰＲＯＭ２９４内に記憶されている数値情報を全て削除する処理を実行する。
ＣＰＵ２９１は、かかる第１削除プログラム２９３ｇを実行することにより、本発明における第１削除手段として機能する。
【００５７】
＜チャンネル番号設定処理＞
次に、ＴＶ受信機１によるチャンネル番号の設定に関する処理について、図４に示すフローチャートを参照して詳しく説明する。本実施形態では、ダイヤル４１の回動操作により、例えば、「３桁」のチャンネル番号（例えば、「５１２」）を設定する処理について説明する。
【００５８】
まず、ユーザによりリモコン装置４の電源キー４１ａが押下されてＴＶ受信機本体２の電源がＯＮされると、ＴＶ受信機本体２のＣＰＵ２９１は、ＥＰＲＯＭ２９４内の数値情報をリセットして回転方向を「なし」の状態に設定する（ステップＳ１）と共に、計時回路２９５のカウンタ（タイムアウトカウンタ）をリセットする（ステップＳ２）。
【００５９】
次に、ユーザにより、リモコン装置４のダイヤル４１が回動操作されると、ロータリエンコーダ４３によって当該ダイヤル４１の回転角度が検出され、その回転角度に応じて数値特定手段としてのＣＰＵ４９１により、所定の回転角度ごとに数値情報が特定される。
【００６０】
そして、かかるダイヤル４１の回動操作により、各回転角度ステップごとに、リモコン装置４のリモコン信号送信部４６からＴＶ受信機本体２のリモコン信号受信部２７にリモコン信号が送信され、その制御情報に含まれる数値情報が制御部２９により認識される。具体的には、リモコン信号解析プログラム２９３ｂを実行するＣＰＵ２９１により、ダイヤル４１の回転角度に対応する数値情報が随時読み込まれ、その数値の増加又は減少を判別することでダイヤル４１の回転方向が特定される。
【００６１】
次に、ＣＰＵ２９１は、計時回路２９５のタイムアウトカウンタを監視して、ダイヤル４１の回動操作が開始されてからタイムアウトが生じたか否かの判断を行う（ステップＳ３）。このステップＳ３においてタイムアウトが生じた場合（ステップＳ３；Ｙｅｓ）、ＣＰＵ２９１は、ＥＰＲＯＭ２９４内の全ての数値情報を削除してチャンネル番号の設定処理を中止する。
【００６２】
ステップＳ３において、未だタイムアウトが生じていない場合（ステップＳ３；Ｎｏ）、ＣＰＵ２９１は、ＥＰＲＯＭ２９４内に３桁の数値が記憶されているか否かの判断を行う（ステップＳ４）。
【００６３】
ステップＳ４においてＥＰＲＯＭ２９４内に３桁の数値が記憶（決定）されている場合（ステップＳ４；Ｙｅｓ）、ＣＰＵ２９１は、当該３桁の数値をチャンネル番号として決定し、該当するチャンネル番号のＴＶ放送信号をチューナ２１に受信させると共に、そのチャンネル番号をＯＳＤ制御部２６に表示させて（ステップＳ５）チャンネル番号設定処理を終了する（図５（ｃ）参照）。
【００６４】
一方、ステップＳ４において、ＥＰＲＯＭ２９４内に未だ３桁の数値が記憶されていない場合（ステップＳ４；Ｎｏ）、ＣＰＵ２９１は、クリアボタンが操作されたか否かの判断を行う（ステップＳ６）。
【００６５】
ステップＳ６において、クリアボタンが操作された場合（ステップＳ６；Ｙｅｓ）、すなわち、リモコン信号受信部２７においてクリア情報を含むリモコン信号が受信された場合、ＣＰＵ２９１は、ＥＰＲＯＭ２９４内に記憶されている数値情報（１〜３桁）のうち、最新に記憶された数字番号を削除する処理（ステップＳ７）を実行して、再度、ステップＳ１に移行する。
【００６６】
一方、ステップＳ６においてクリアボタンを押下された旨のクリア情報が検出されない場合（ステップＳ６；Ｎｏ）、ＣＰＵ２９１は、ダイヤル４１の回転方向が変更されたか否かの判断を行う（ステップＳ８）。
【００６７】
ステップＳ８において、ダイヤル４１の回転方向が変更された旨の判断がされた場合（ステップＳ８；Ｙｅｓ）、ＣＰＵ２９１は、当該逆転時の制御情報に含まれる数値情報の直前にリモコン信号受信部２７により受信された制御情報に含まれる数値情報を、チャンネル番号設定用の数字番号の一つとして決定し、下位の桁又は上位の桁から（例えば、本実施形態では、上位の桁から）順に割り当ててＥＰＲＯＭ２９４に記憶させ（ステップＳ９）、再度、ステップＳ２に移行する。
【００６８】
具体的には、ユーザによるダイヤル４１の回動操作により、例えば、ダイヤル４１が当該ダイヤル４１の回転角度ステップに対応する数値情報が増加する方向から減少する方向に逆転操作されるとした場合、リモコン信号受信部２７で受信する制御情報（リモコン信号）中に含まれる数値情報は、例えば、…３、４、５、４…と変化することとなる。この場合、ＣＰＵ２９１は、第１判断プログラム２９３ｃを実行することで、「５」に続いて「４」が検出された時点でダイヤル４１の逆転操作の有無を判断し、当該逆転判断時における数値情報である「４」の直前の数値情報である「５」をＥＰＲＯＭ２９４に記憶させる（図５（ａ）参照）。そして、ダイヤル４１が、当該ダイヤル４１の回転角度ステップに対応する数値情報が減少から増加に転じる方向に逆転操作された場合も、同様の判断によってチャンネル番号設定用の数値が特定される。
【００６９】
このように、ダイヤル４１の逆転操作を繰り返すことにより、例えば、図５（ａ）〜（ｃ）のように、上位の桁から順にチャンネル番号が特定されることとなる。
【００７０】
（実施形態の効果）
以上説明したように、本実施形態たるテレビジョン受信機１によれば、ダイヤル４１を繰り返し逆転操作して、逆転時における数値情報を下位の桁又は上位の桁から順に割り当ててＥＰＲＯＭ２９４に記憶していくことで、３桁のチャンネル番号を容易に特定することができる。また、チャンネル番号の選択（選局）に際して複数の数字ボタンを設ける必要がなく、リモコン装置４を小型化することができる。
また、所定時間内にダイヤル４１の逆転操作が検出されない場合には、ＥＰＲＯＭ２９４に記憶された数値情報を全て削除することができる。従って、チャンネル番号を設定した後、又は、中断した際に、設定処理を終了する際の操作を別に行う必要がなく、操作性の向上が図られる。さらに、クリアボタンを押下することで、直前に選択した最新の数値情報を削除することができるため、リモコン装置４によるチャンネル選局のための数値入力の操作性を向上することができる。
【００７１】
なお、本実施形態では、数値特定プログラム４９３ａとＣＰＵ４９１とにより実現される数値特定手段が、ロータリエンコーダ４３からの検出信号に基づき３０°ごとに連続する数値を割り当てて特定することとしているが、一の数値に対応するダイヤル４１の回転角度はこれに限定されるものではなく、任意の角度に設定することが可能であることは言うまでもない。
【００７２】
また、本実施形態では、ダイヤル４１に割り当てられる数値を「１〜１２」としたが、これに限定されるものではなく、例えば、「１〜９」、或いは、「１」から所望の数値とすることができる。
【００７３】
また、上記実施形態において、ダイヤル４１の回転角度に対応する数値のうち、「１０〜１２」の各数値には、「０」を対応させることとしてもよいし、そのまま「１０〜１２」の数値を対応させて、一度の入力で２桁（例えば、１０、１１又は１２）の数値を入力可能としてもよい。
【００７４】
また、ダイヤル４１の逆転操作が検出されない場合に無効手段としてのＣＰＵ２９１がＥＥＰＲＯＭ２９４に記憶された数値情報を無効とするまでの所定時間は、例えば、１秒、又は２秒など、任意の時間に設定することができる。
【図面の簡単な説明】
【００７５】
【図１】本実施形態たるＴＶ受信機の構成を示す図である。
【図２】本実施形態におけるリモコン装置の機能的構成を示すブロック図である。
【図３】本実施形態におけるＴＶ受信機本体の機能的構成を示すブロック図である。
【図４】本実施形態たるＴＶ受信機の動作を示すフローチャートである。
【図５】本実施形態たるＴＶ受信機の動作を示す動作説明図である。
【符号の説明】
【００７６】
１  ＴＶ受信機（テレビジョン受信機）
２  ＴＶ受信機本体（テレビジョン受信機本体）
２７  リモコン信号受信部（制御情報受信手段、クリア情報受信手段）
２９１  ＣＰＵ（本体情報送信手段）
２９３ａ  制御情報受信プログラム（制御情報受信手段）
２９３ｂ  リモコン信号解析プログラム（リモコン信号解析手段）
２９３ｃ  第１判断プログラム（第１判断手段）
２９３ｄ  第２判断プログラム（第２判断手段）
２９３ｅ  ＯＳＤ表示制御プログラム（ＯＳＤ表示制御手段）
２９３ｆ  削除プログラム（削除手段）
２９３ｇ  無効プログラム（無効手段）
４  リモコン装置
４ａ  本体部
４１  ダイヤル（チャンネル選局用ダイヤル）
４１ａ  電源キー
４３  ロータリエンコーダ（検出手段）
４６  リモコン信号送信部（制御情報送信手段、クリア情報送信手段）
４９１  ＣＰＵ（数値特定手段、制御情報送信手段、クリア情報送信手段）
４９３ａ  数値特定プログラム（数値特定手段）
４９３ｂ  クリア情報送信プログラム（クリア情報送信手段）
４９３ｃ  制御情報送信プログラム（制御情報送信手段）
【図１】
2008228174.tif 000003
【図２】
2008228174.tif 000004
【図３】
2008228174.tif 000005
【図４】
2008228174.tif 000006
【図５】
2008228174.tif 000007